(57)【要約】【課題】動画のダイジェスト動画を再生する際に、ユーザが撮影を意図したシーンが含まれる適切なダイジェスト動画を再生することができる。【解決手段】画像処理装置１は、動画の撮影中に撮影された複数の静止画の中から任意の複数の静止画を選択する選択手段１０２ｆと、選択手段１０２ｆにより選択された複数の静止画において、各々の撮影時点をそれぞれ含む所定時間の部分動画を動画から抽出する抽出手段１０２ｄと、抽出手段１０２ｄにより抽出された複数の部分動画を順次再生する動画再生手段１０２ｅと、を備え、動画の撮影中に撮影された複数の静止画には、動画の撮影中に撮影された複数の静止画の中に、動画の撮影中に所定の条件を満たしたときに自動的に撮影された第１静止画と、ユーザによる撮影指示を受け付けたときに撮影された第２静止画とが含まれ、選択手段１０２ｆは、第１静止画よりも第２静止画を優先して選択する。【選択図】図１
2015192336.tif 000002
【特許請求の範囲】
【請求項１】
動画の撮影中に撮影された複数の静止画の中から任意の複数の静止画を選択する選択手段と、
前記選択手段により選択された複数の静止画において、各々の撮影時点をそれぞれ含む所定時間の部分動画を前記動画から抽出する抽出手段と、
前記抽出手段により抽出された複数の部分動画を順次再生する動画再生手段と、
を備え、
前記動画の撮影中に撮影された複数の静止画には、前記動画の撮影中に所定の条件を満たしたときに自動的に撮影された第１静止画と、ユーザによる撮影指示を受け付けたときに撮影された第２静止画とが含まれ、
前記選択手段は、前記第１静止画よりも前記第２静止画を優先して選択することを特徴とする画像処理装置。
【請求項２】
請求項１に記載の画像処理装置において、
前記選択手段は、前記動画の撮影中に撮影された複数の静止画を撮影場所、撮影時点および撮影被写体の少なくとも１つに基づいてグループ化し、グループごとに静止画を選択し、この選択の際、同じグループ内に前記第１静止画および前記第２静止画の両方が含まれる場合には、前記第１静止画よりも前記第２静止画を優先して選択することを特徴とする画像処理装置。
【請求項３】
請求項２に記載の画像処理装置において、
前記動画の撮影中に撮影された複数の静止画は、それぞれ評価されてその評価結果を表す画像評価値が決定されており、
前記選択手段は、前記グループごとに前記画像評価値が最も高い静止画を選択し、この選択の際、同じグループ内に最も高い画像評価値を有する静止画として前記第１静止画および前記第２静止画の両方が含まれる場合には、前記第１静止画よりも前記第２静止画を優先して選択することを特徴とする画像処理装置。
【請求項４】
請求項１〜３のいずれか一項に記載の画像処理装置において、
前記抽出手段により抽出された複数の部分動画のそれぞれにおいて動きの有無を判断する動き判断手段をさらに備え、
前記抽出手段は、前記動き判断手段により動きがないと判断された部分動画については、前記動画から抽出する抽出箇所を変更することを特徴とする画像処理装置。
【請求項５】
請求項４に記載の画像処理装置において、
前記動き判断手段は、前記動きがないと判断された部分動画に対応する静止画の撮影時点を起点として、動きがある時点を前記動画内で探索し、
前記抽出手段は、前記動きがないと判断された部分動画に代えて、前記動き判断手段により探索された動きがある時点を含む所定時間の部分動画を前記動画から抽出することを特徴とする画像処理装置。
【請求項６】
請求項１〜５のいずれか一項に記載の画像処理装置において、
前記選択手段により選択された静止画ごとに、その静止画の撮影時点を含む部分動画の抽出時間の長さを決定する時間決定手段をさらに備えることを特徴とする画像処理装置。
【請求項７】
動画の撮影中に撮影された複数の静止画において、各々の撮影時点をそれぞれ含む所定時間の部分動画を前記動画から抽出する抽出手段と、
前記抽出手段により抽出された複数の部分動画を順次再生する動画再生手段と、
前記抽出手段により抽出された複数の部分動画のそれぞれにおいて動きの有無を判断する動き判断手段と、
を備え、
前記抽出手段は、前記動き判断手段により動きがないと判断された部分動画については、前記動画から抽出する抽出箇所を変更することを特徴とする画像処理装置。
【請求項８】
請求項７に記載の画像処理装置において、
前記動き判断手段は、前記動きがないと判断された部分動画に対応する静止画の撮影時点を起点として、動きがある時点を前記動画内で探索し、
前記抽出手段は、前記動きがないと判断された部分動画に代えて、前記動き判断手段により探索された動きがある時点を含む所定時間の部分動画を前記動画から抽出することを特徴とする画像処理装置。
【請求項９】
請求項７または８に記載の画像処理装置において、
前記動画の撮影中に撮影された複数の静止画のそれぞれにおいて、撮影時点を含む部分動画の抽出時間の長さを決定する時間決定手段をさらに備えることを特徴とする画像処理装置。
【請求項１０】
請求項１〜９のいずれか一項に記載の画像処理装置を備えることを特徴とするデジタルカメラ。
【発明の詳細な説明】
【技術分野】
【０００１】
本発明は、画像処理装置およびデジタルカメラに関する。
【背景技術】
【０００２】
動画の撮影中にユーザからの撮影指示に応じて撮影された静止画の撮影時点をそれぞれ含む複数の部分動画を上記動画から抽出して連続して再生する再生装置が知られている（特許文献１参照）。
【先行技術文献】
【特許文献】
【０００３】
【特許文献１】特許第４３３０９６８号公報
【発明の概要】
【発明が解決しようとする課題】
【０００４】
動画撮影中において、ユーザの撮影指示（レリーズ操作）に応じて静止画を撮影する手動撮影処理と、所定の条件を満たす際に自動で静止画を撮影する自動撮影処理との両方を行う場合を考える。この場合、動画撮影中に撮影された全ての静止画について、撮影時点をそれぞれ含む複数の部分動画を抽出してダイジェスト動画として再生すると、ダイジェスト動画が長過ぎたり、撮影シーンが類似する部分動画が複数含まれたりするおそれがあり、ダイジェスト動画として適切ではない。
【課題を解決するための手段】
【０００５】
（１）請求項１に記載の画像処理装置は、動画の撮影中に撮影された複数の静止画の中から任意の複数の静止画を選択する選択手段と、選択手段により選択された複数の静止画において、各々の撮影時点をそれぞれ含む所定時間の部分動画を動画から抽出する抽出手段と、抽出手段により抽出された複数の部分動画を順次再生する動画再生手段と、を備え、動画の撮影中に撮影された複数の静止画には、動画の撮影中に所定の条件を満たしたときに自動的に撮影された第１静止画と、ユーザによる撮影指示を受け付けたときに撮影された第２静止画とが含まれ、選択手段は、第１静止画よりも第２静止画を優先して選択することを特徴とする。
（２）請求項７に記載の画像処理装置は、動画の撮影中に撮影された複数の静止画において、各々の撮影時点をそれぞれ含む所定時間の部分動画を動画から抽出する抽出手段と、抽出手段により抽出された複数の部分動画を順次再生する動画再生手段と、抽出手段により抽出された複数の部分動画のそれぞれにおいて動きの有無を判断する動き判断手段と、を備え、抽出手段は、動き判断手段により動きがないと判断された部分動画については、動画から抽出する抽出箇所を変更することを特徴とする。
（３）請求項１０に記載のデジタルカメラは、請求項１〜９のいずれか一項に記載の画像処理装置を備えることを特徴とする。
【発明の効果】
【０００６】
本発明によれば、動画のダイジェスト動画を再生する際に、ユーザが撮影を意図したシーンが含まれる適切なダイジェスト動画を再生することができる。
【図面の簡単な説明】
【０００７】
【図１】本発明の実施の形態によるデジタルカメラの構成例を示すブロック図である。
【図２】動画撮影中の画像データの流れを説明する図である。
【図３】動画撮影中の静止画撮影の一例を説明する図である。
【図４】ダイジェスト動画の概要を説明する図である。
【図５】ダイジェスト動画に用いる部分動画の抽出方法を説明する図である。
【図６】ダイジェスト動画に用いる部分動画の抽出方法を説明する図である。
【図７】第１の実施の形態におけるダイジェスト動画再生処理の流れを説明するフローチャートである。
【図８】第２の実施の形態におけるダイジェスト動画再生処理の流れを説明するフローチャートである。
【発明を実施するための形態】
【０００８】
−第１の実施の形態−
図面を参照して本発明の第１の実施の形態について説明する。図１は、第１の実施の形態によるデジタルカメラ１の構成例を示す図である。デジタルカメラ１は、カメラボディ部１０を備え、交換可能なレンズ部２０がカメラボディ部１０に着脱可能に装着されている。
【０００９】
レンズ部２０は、撮影光学系２０１と、ズーム環２０２と、エンコーダ２０３と、レンズＲＯＭ２０４と、フォーカスレンズ駆動部２０５と、絞り駆動部２０６と、レンズ制御部２０７と、レンズ接点部２０８と、を備える。
【００１０】
撮影光学系２０１は、ズームレンズやフォーカスレンズを含む。ズームレンズの位置を光軸方向に駆動して撮影光学系２０１の焦点距離を変更することで、撮影光学系２０１の画角を変更することができる。レンズ部２０では、ズーム環２０２を回転操作することで、ズームレンズの位置を手動で調節することができる。
【００１１】
エンコーダ２０３は、ズーム環２０２の位置を検出して、ズームレンズの位置を検出し、ズームレンズの位置情報をレンズ制御部２０７へ出力する。レンズＲＯＭ２０４には、撮影光学系２０１に関するレンズ情報が記憶されている。レンズ情報には、例えば、撮影光学系２０１の開放Ｆ値やズームレンズのズーム位置毎の焦点距離、レンズ部２０の型式などの情報が含まれる。
【００１２】
レンズ制御部２０７は、図示しないＣＰＵ、ＲＯＭ、ＲＡＭなどを有し、制御プログラムに基づいて、レンズ部２０の各構成要素を制御したり、各種のデータ処理を実行したりする。制御プログラムは、レンズ制御部２０７内の不図示の不揮発性メモリに格納されている。レンズ制御部２０７は、レンズ情報や、エンコーダ２０３により検出されたズームレンズのズーム位置情報を、レンズ接点部２０８を介してカメラボディ部１０側へ出力する。
【００１３】
フォーカスレンズ駆動部２０５は、レンズ制御部２０７によって制御され、撮影光学系２０１のフォーカスレンズを光軸方向に駆動する。絞り駆動部２０６はレンズ制御部２０７によって制御され、撮影光学系２０１の絞りの開口の大きさを調節することに用いられる。
【００１４】
カメラボディ部１０は、ボディ接点部１０１と、ボディ制御部１０２と、撮像部１０３と、音声入力部１０４と、画像処理部１０５と、内部メモリ１０６と、表示部１０７と、操作部１０８と、姿勢検出部１０９と、位置検出部１１０と、を備える。カメラボディ部１０には、例えば、メモリカードなどの記録媒体３０が着脱可能である。
【００１５】
ボディ接点部１０１は、レンズ部２０がカメラボディ部１０の不図示のマウント部に装着されると、レンズ部２０のレンズ接点部２０８と接続される。ボディ制御部１０２は、ボディ接点部１０１を介して、レンズ部２０のレンズ制御部２０７と通信する。レンズ部２０のレンズ接点部２０８へ出力されたレンズ情報やズームレンズのズーム位置情報は、ボディ接点部１０１を介して、ボディ制御部１０２へ入力される。
【００１６】
ボディ制御部１０２は、ズームレンズのズーム位置情報とレンズ情報とに基づいて、レンズ部２０の焦点距離を演算し、その焦点距離からレンズ部２０の画角を演算する。また、ボディ制御部１０２は、ボディ接点部１０１を介して、フォーカスレンズや絞りの駆動指示を行う。
【００１７】
ボディ制御部１０２は、図示しないＣＰＵ、ＲＯＭ、ＲＡＭなどを有し、制御プログラムに基づいて、デジタルカメラ１の各構成要素を制御したり、各種のデータ処理を実行したりする。制御プログラムは、ボディ制御部１０２内の不図示の不揮発性メモリに格納されている。
【００１８】
ボディ制御部１０２は、静止画撮影部１０２ａと、動画撮影部１０２ｂと、画像管理部１０２ｃと、動画抽出部１０２ｄと、ダイジェスト動画再生部１０２ｅと、静止画選択部１０２ｆと、動き判断部１０２ｇ、とを機能的に備える。これらの各機能部は、上記の制御プログラムによりソフトウェア的に実装される。これらの各機能部を電子回路により構成することも可能である。これらの機能部について詳しくは後述する。
【００１９】
撮像部１０３は、ＣＭＯＳイメージセンサなどの撮像素子を有し、撮影光学系２０１により結像された被写体像を撮像して、撮像信号を出力する。なお、本実施の形態における撮像部１０３は、一例として１０Ｍｐｉｘｅｌの画素数を有しているものとして説明する。撮像部１０３からの撮像信号は、不図示のＡ／Ｄ変換部により画像データに変換され、内部メモリ１０６に一旦格納される。内部メモリ１０６は、たとえばＤＲＡＭやＳＲＡＭ等の高速でのデータの読出し書き込みが可能な揮発性の記録媒体である。内部メモリ１０６は、連写撮影、動画撮影等の高速で連続的に画像データが生成される際に、後述する画像処理部１０５による画像処理を開始するまで画像データを待機させるバッファメモリとして機能するとともに、画像処理部１０５による画像処理および圧縮処理を行う際のワークメモリとしても機能する。音声入力部１０４は、マイクロホンなどを備え、動画撮影時などに音声を検出する。
【００２０】
画像処理部１０５は、撮像部１０３により撮像された画像データに対して種々の画像処理を施した後、付加情報等を付与して画像ファイルを生成する。そして、画像処理部１０５は、生成した画像ファイルを記録媒体３０に記録する。また、画像処理部１０５は、内部メモリ１０６に格納されている画像データや記録媒体３０に記録されている画像データに基づいて、表示部１０７に表示するための表示画像データを生成する。
【００２１】
画像処理部１０５は、静止画処理部１０５ａおよび動画処理部１０５ｂを機能的に備える。静止画処理部１０５ａは、撮像部１０３から出力された撮像信号を用いて、静止画データおよび静止画ファイルを生成し、記録媒体３０に記録する。動画処理部１０５ｂは、撮像部１０３から出力された撮像信号を用いて動画データおよび動画ファイルを生成し、記録媒体３０に記録する。
【００２２】
表示部１０７は、カメラボディ部１０の背面に配置される液晶モニタ等である。表示部１０７には、例えば撮像部１０３で撮像された画像や、メニュー画面などが表示される。
【００２３】
操作部１０８は、ユーザによって操作される種々の操作部材、例えば、モード切替ボタン、レリーズボタン、録画ボタン、十字キー、決定ボタンなどを含む。操作部１０８は、各操作部材が操作されると、各操作に応じた操作信号をボディ制御部１０２へ出力する。また、操作部１０８により、静止画撮影モードや動画撮影モードの設定が可能である。なお、本実施の形態のデジタルカメラ１では、動画撮影モードにおける動画撮影中であっても、ユーザによりレリーズボタンが操作された際には、操作された時点にて静止画を撮影することができるようになっている。
【００２４】
姿勢検出部１０９は、カメラボディ部１０の筐体内に設けられており、例えばジャイロセンサなどから構成される。姿勢検出部１０９は、カメラボディ部１０の筐体の姿勢の変動を検出して、その検出結果を示す検出信号をボディ制御部１０２に出力する。
【００２５】
位置検出部１１０は、ＧＰＳ（Global Positioning System）衛星から送信されるＧＰＳ信号を受信し、デジタルカメラ１の現在位置を検出して、その検出結果を示す検出信号をボディ制御部１０２に出力する。
【００２６】
（動画撮影中の静止画撮影）
本実施の形態のデジタルカメラ１では、動画撮影中に静止画を撮影可能となっている。以下、動画撮影中の静止画撮影について説明する。図２は、動画撮影中の画像データの流れを説明する図である。動画撮影モードにおいて、ユーザにより録画ボタンが操作されることにより動画撮影の開始が指示されると、動画撮影部１０２ｂは、動画撮影処理を開始する。動画撮影部１０２ｂは、動画撮影処理において、撮像部１０３を制御して、所定のフレームレート、たとえば秒間３０フレームにて連続して被写体像を撮像させ、得られたフレーム画像データを逐次出力させる。動画処理部１０５ｂは、逐次出力されたフレーム画像データを、所定の画素数（たとえば１フレームに対して２ＭＰｉｘｅｌ（フルＨＤ））となるように縮小（ダウンサイズ）する。そして、動画処理部１０５ｂは、縮小したフレーム画像データから動画データを生成し、たとえばＭＰＥＧ形式の動画ファイルとして記録媒体３０に記録する。ユーザにより録画ボタンが再度操作されることにより動画撮影の終了が指示されると、動画撮影部１０２ｂは動画撮影処理を終了し、動画処理部１０５ｂは動画ファイルの終端処理を行う。
【００２７】
また、本実施の形態のデジタルカメラ１では、動画撮影中に、所定の条件（以下、静止画撮影条件と表記する）が満たされた場合に静止画を自動で撮影する自動撮影処理と、ユーザによる撮影指示に応じて静止画を撮影する手動撮影処理とを行うことが可能となっている。
【００２８】
静止画撮影部１０２ａは、撮像部１０３によりフレーム画像が撮像されるごとに、各フレーム画像が後述する静止画撮影条件を満たすか否かを判断する。静止画撮影部１０２ａは、静止画撮影条件を満たすと判断されたフレーム画像を、逐次内部メモリ１０６の静止画格納領域に格納する。
【００２９】
静止画撮影条件としては、下記の場合がある。なお、下記の場合は一例であり、この他の静止画撮影条件を用いてもよい。
（１）フレーム画像の画角（ズームやフレーミング）が安定した場合
なお、画角が安定したか否かは、レンズ部２０から出力されるズーム位置情報や、姿勢検出部１０９の検出結果などから判断することができる。
（２）フレーム画像において人物の顔が認識された場合
（３）前回の静止画撮影から所定時間以上経過した場合
【００３０】
また、動画撮影中において、ユーザによる撮影指示（レリーズボタンの押下操作）が行われると、静止画撮影部１０２ａは、その時点で出力されたフレーム画像を、内部メモリ１０６の静止画格納領域に格納する。
【００３１】
そして、動画撮影が終了されると、静止画処理部１０５ａは、内部メモリ１０６の静止画格納領域に格納されたフレーム画像に基づいて静止画データを生成する。この場合、静止画処理部１０５ａは、フレーム画像の画素数をダウンサイズしないので、生成される静止画データの画素数は、フルサイズの画素数（本実施形態では１０ＭＰｉｘｅｌ）であり、動画データに比べて高解像である。そして、静止画処理部１０５ａは、生成した静止画データを静止画ファイルとして記録媒体３０に記録する。
【００３２】
図３は、動画撮影中の静止画撮影の一例を示す図である。動画撮影中において、時点ｔ１にユーザによる撮影指示が行われると、静止画撮影部１０２ａは、時点ｔ１におけるフレーム画像を、内部メモリ１０６の静止画格納領域に格納する。また、静止画撮影部１０２ａは、時点ｔ１から所定時間が経過して時点ｔ２になると、前回の静止画撮影から所定時間が経過したという静止画撮影条件を満たすことより、静止画撮影部１０２ａは、時点ｔ２におけるフレーム画像を、内部メモリ１０６の静止画格納領域に格納する。さらに、時点ｔ２の後、ズーム操作が行われ、時点ｔ３でズーム操作が終了して画角が安定すると、画角が安定したという静止画撮影条件を満たすことより、静止画撮影部１０２ａは、時点ｔ３におけるフレーム画像を、内部メモリ１０６の静止画格納領域に格納する。内部メモリ１０６の静止画格納領域に格納されたこれらのフレーム画像は、静止画ファイルとして保存される。
【００３３】
なお、動画撮影の終了後、画像管理部１０２ｃは、動画データまたは静止画データ、またはこれら両方に、動画とその動画の撮影中に撮影された静止画との関連を示す関連情報を対応付けて記録媒体３０に記録する。たとえば、画像管理部１０２ｃは、動画データに、動画内での静止画の撮影時点（たとえば、動画開始後何フレーム後に撮影、など）を示す撮影時点情報と、静止画ファイルを特定するための静止画ファイル情報とを対応付けて記録する。また、たとえば、画像管理部１０２ｃは、静止画データに、動画ファイルを特定するための動画ファイル情報と、動画内での撮影時点を示す撮影時点情報とを対応付けて記録する。さらに、画像管理部１０２ｃは、静止画データに、自動撮影による静止画であるか、手動撮影による静止画であるかを示す種別情報も対応付けて記録する。さらに、画像管理部１０２ｃは、静止画データに、位置検出部１１０による検出結果に基づく撮影場所の情報も対応付けて記録する。さらに、画像管理部１０２ｃは、静止画を所定の評価項目に基づいて評価し、その評価結果を表すレーティング（画像評価値）を決定し、レーティング情報を静止画データに対応付けて記録する。なお、レーティングは、たとえば、デジタルカメラ１が静止している、ズームしていない、ブレていない、目をつむっていない、笑顔であるなど、撮影状況や撮影結果などに基づいて決定される。このようなレーティングの決定は、公知の技術を用いればよいので、詳細の説明は省略する。
【００３４】
（ダイジェスト動画の再生）
本実施形態のデジタルカメラ１では、動画の撮影中に撮影された静止画に基づいて、当該動画の中から複数の部分を抽出して順次再生することにより、ダイジェスト動画を再生するようになっている。以下、ダイジェスト動画再生処理について説明する。図４は、ダイジェスト動画の概要を説明する図である。たとえば、ユーザ操作により、記録媒体３０に記録されている動画ファイルの中から１つの動画ファイルが選択されて、ダイジェスト動画の再生が指示されると、ダイジェスト動画再生処理が開始される。なお、ユーザ操作により選択されたダイジェスト動画の元となる動画を、以下、元動画と表記する。
【００３５】
動画抽出部１０２ｄは、元動画の撮影中に撮影された複数の静止画において、各々の撮影時点を含む所定時間（たとえば、撮影時点を中心とした前後数秒程度）の動画を、部分動画として元動画から抽出する。たとえば、元動画の撮影中に３枚の静止画Ｐ１１〜Ｐ１３が撮影されたとする。なお、時系列順に、静止画Ｐ１１、Ｐ１２、Ｐ１３とする。動画抽出部１０２ｄは、静止画Ｐ１の撮影時点ｔ１１を含む部分動画Ｄ１１と、静止画Ｐ１２の撮影時点ｔ１２を含む部分動画Ｄ１２と、静止画Ｐ１３の撮影時点ｔ１３を含む部分動画Ｄ１３とをそれぞれ元動画から抽出する。
【００３６】
そして、ダイジェスト動画再生部１０２ｅは、動画抽出部１０２ｄにより抽出された部分動画Ｄ１１〜Ｄ１３を時系列順に連続して再生することにより、ダイジェスト動画を再生して、表示部１０７に表示させる。
【００３７】
また、ダイジェスト動画再生部１０２ｅは、部分動画Ｄ１１〜Ｄ１３を時系列順に連結して１つの動画データ（ダイジェスト動画データ）を生成し、これを再生して表示部１０７に表示させるようにしてもよい。そしてダイジェスト動画再生部１０２ｅは、このダイジェスト動画データを記録媒体３０に動画ファイルとして記録するようにしてもよい。なお、動画抽出部１０２ｄにより抽出された部分動画を連結せずに、それぞれ短時間の動画ファイルとして記録媒体３０に記録するようにしてもよい。
【００３８】
本実施形態では、上述したように、動画の撮影中の静止画撮影において、自動撮影処理と手動撮影処理との両方が行われているので、撮影シーンが類似する静止画が複数枚撮影される場合がある。このような場合、全ての静止画について、撮影時点を含む部分動画を抽出してダイジェスト動画を生成すると、撮影シーンが類似する部分動画が複数含まれてしまうこととなり、ダイジェスト動画として適切ではない。そこで、本実施形態では、動画撮影中の静止画の中から、類似する撮影シーンが重複しないように静止画を選択し、選択した静止画を用いてダイジェスト動画を生成することで、類似する撮影シーンの部分動画が複数含まれるのを極力避けてバラエティに富んだダイジェスト動画を生成する。
【００３９】
このようなダイジェスト動画の生成方法を、図５および図６を用いて説明する。静止画選択部１０２ｆは、動画の撮影中に撮影された複数枚の静止画Ｐ２１〜Ｐ２７を、撮影時点および撮影被写体に基づいてグループ化することで、撮影シーンが類似する静止画同士を同じグループに分類する。具体的には、静止画選択部１０２ｆは、撮影時点が近接し且つ撮影被写体が同じである静止画が同じグループに含まれるようにグループ化を行う。ここでは、図５に示すように、静止画Ｐ２１〜Ｐ２７が３つのグループＧ１〜Ｇ３に分類されたとする。静止画Ｐ２１〜Ｐ２２がグループＧ１に分類され、静止画Ｐ２３〜Ｐ２５がグループＧ２に分類され、静止画Ｐ２６〜Ｐ２７がグループＧ３に分類されている。静止画Ｐ２１〜Ｐ２２は、撮影時点が近接し且つ撮影被写体が人物「Ａさん」である。静止画Ｐ２３〜Ｐ２５は、撮影時点が近接し且つ撮影被写体が「風景」である。静止画Ｐ２６〜Ｐ２７は、撮影時点が近接し且つ撮影被写体が人物「Ｂさん」である。なお、撮影時点が近接しているとは、たとえば、複数の静止画において、撮影時点の差分が所定時間内（たとえば１分〜数分程度）であれば、撮影時点が近接していると判断する。また、撮影被写体については、静止画に対して、たとえば、被写体認識処理などを行い、その結果に基づいて撮影被写体が同じであるか否かを判断する。被写体認識処理については、公知の技術を用いればよいので、詳細の説明は省略する。
【００４０】
そして静止画選択部１０２ｆは、グループＧ１〜Ｇ３のそれぞれにおいて、レーティングが最も高い静止画（ベストの静止画）を１枚選択する。図５においてレーティングは、星印の数で示されており、星印の数が多いほどレーティングが高いことを示す。ここで、静止画選択部１０２ｆは、レーティングが最も高い静止画が複数枚ある場合には、自動撮影された静止画よりも手動撮影された静止画を優先して選択する。自動撮影した静止画よりも手動撮影した静止画の方が、ユーザが撮影を意図したシーンであると考えられるからである。図５では、グループＧ１において、静止画選択部１０２ｆは、静止画Ｐ２１と静止画Ｐ２２のレーティングは共に星３つで同じであるため、自動撮影された静止画Ｐ２２ではなく、手動撮影された静止画Ｐ２１を選択する。グループＧ２において、静止画選択部１０２ｆは、静止画Ｐ２３〜Ｐ２５のうち、静止画Ｐ２４と静止画Ｐ２５のレーティングが最も高い（星４つ）ため、自動撮影された静止画Ｐ２４ではなく、手動撮影された静止画Ｐ２５を選択する。グループＧ３において、静止画選択部１０２ｆは、静止画Ｐ２７よりも静止画Ｐ２６の方がレーティングが高い（星３つ）であるため、静止画Ｐ２６を選択する。
【００４１】
動画抽出部１０２ｄは、静止画選択部１０２ｆにより選択された３つの静止画Ｐ２１、Ｐ２５、Ｐ２６において、各々の撮影時点をそれぞれ含む所定時間の部分動画Ｄ２１、Ｄ２５、Ｄ２６を元動画から抽出する。
【００４２】
動き判断部１０２ｇは、動画抽出部１０２ｄにより抽出された部分動画Ｄ２１、Ｄ１５、Ｄ２６のそれぞれにおいて、動きの有無を判断する。動画抽出部１０２ｄは、動き判断部１０２ｇにより動きがないと判断された部分動画については、元動画から抽出する抽出箇所を変更する。動きがない部分動画が含まれると、ダイジェスト動画としての魅力が落ちてしまうためである。たとえば、静止画を手動撮影する際は、静止画が上手に撮影できるように撮影被写体やデジタルカメラ１の動きを止めて撮影する場合があるため、手動撮影された静止画の撮影時点を含む部分動画は、動きがない（すなわち変化がない）可能性がある。
【００４３】
動き判断部１０２ｇは、たとえば、部分動画を構成するフレーム画像において、隣接するフレーム画像同士を比較して、隣接するフレーム画像間の変化量を検出し、所定値以上の変化量（すなわち所定以上の動き）があるか否かを検出する。動き判断部１０２ｇは、部分動画において、所定割合の時間以上（たとえば５秒の部分動画において３秒以上）継続して所定以上の動きが検出されない場合は、部分動画の動きがないと判断する。
【００４４】
たとえば、図６に示すように、静止画Ｐ２１の撮影時点ｔ２１を含む部分動画Ｄ２１について、部分動画の動きがないと判断されたとする。すると、動き判断部１０２ｇは、元動画において、撮影時点ｔ２１を起点とし、撮影時点ｔ２１以降で、撮影時点ｔ２１に最も近く且つ所定以上の動きが検出される時点を探索する。ここで、被写体が動き始めたことにより、所定以上の動きが検出された時点ｔ３０が探索されたとする。すると、動画抽出部１０２ｄは、撮影時点ｔ２１を含む部分動画Ｄ２１に代えて、上記時点ｔ３０を含む所定時間の部分動画（たとえば時点ｔ３０の前後数秒でもよいし、時点ｔ３０以降数秒であってもよい）を元動画から抽出する。なお、このとき動画抽出部１０２ｄは、時点ｔ３０が元動画の終了に近いことにより時点ｔ３０を中心とした所定時間の部分動画が得られない場合には、抽出する部分動画の開始を前にずらす。
【００４５】
また、動き判断部１０２ｇは、撮影時点ｔ２１から元動画の終了までに所定以上の動きが検出される時点が探索されなかった場合には、元動画において、撮影時点ｔ２１以前で、撮影時点ｔ２１に最も近く且つ所定以上の動きが検出される時点を探索する。
【００４６】
また、撮影時点ｔ２１からその前後の静止画（静止画選択部１０２ｆにより選択された静止画）の撮影時点までの間に、所定以上の動きが検出される時点がなかった場合には、動画抽出部１０２ｄは、撮影時点ｔ２１を含む部分動画を抽出せず、且つ代わりの部分動画の抽出を行わない。
【００４７】
このようにして動画抽出部１０２ｄは、動き判断部１０２ｇにより動きがないと判断された部分動画Ｄ２１については、その部分動画Ｄ２１に代えて、動き判断部１０２ｇにより探索された動きがある時点ｔ３０を含む部分動画Ｄ３０を抽出する。そして、ダイジェスト動画再生部１０２ｅは、このようにして動画抽出部１０２ｄにより抽出された部分動画Ｄ３０、Ｄ２５、Ｄ２６を時系列順に連続して再生することで、ダイジェスト動画を再生する。
【００４８】
なお、部分動画を再生する順番は時系列順に限らなくてもよく、たとえば、対応する静止画のレーティング順であってもよい。
【００４９】
次に、ダイジェスト動画再生処理の流れを図７に示すフローチャートを用いて説明する。図７の処理は、ボディ制御部１０２でプログラムを実行して行われる。このプログラムは、不図示の不揮発性メモリに格納されており、ユーザの操作部１０８の操作によりダイジェスト動画の再生が指示されるとボディ制御部１０２により起動され、実行される。
【００５０】
ステップＳ１において、静止画選択部１０２ｆは、元動画の撮影中に撮影された複数の静止画を撮影時点に基づいてグループ化する。ここでは、静止画選択部１０２ｆは、たとえば、静止画データに対応付けられた撮影時点情報に基づいて、撮影時点の差分が所定時間内である静止画同士を同じグループに分類する。
【００５１】
ステップＳ２において、静止画選択部１０２ｆは、ステップ１で分類されたグループごとの静止画を、撮影被写体に基づいてグループ化する。ここでは、静止画選択部１０２ｆは、たとえば被写体認識処理を行い、同じ撮影被写体が認識された静止画同士を同じグループに分類する。
【００５２】
ステップＳ３において、静止画選択部１０２ｆは、ステップＳ２で分類されたグループごとに、静止画データに対応付けられたレーティング情報に基づいて、ベストの静止画を１枚選択する。このとき、静止画選択部１０２ｆは、１つのグループに、レーティングが最も高い静止画が複数含まれる場合には、静止画データに対応付けられた種別情報に基づいて、自動撮影による静止画よりも手動撮影による静止画を優先して選択する。
【００５３】
ステップＳ４において、動画抽出部１０２ｄは、ステップＳ３で静止画選択部１０２ｆにより選択された静止画において、各々の撮影時点をそれぞれ含む所定時間の部分動画を、元動画から抽出する。
【００５４】
ステップＳ５において、動き判断部１０２ｇは、ステップＳ４で抽出された部分動画のそれぞれにおいて動きの有無を判断し、動きがない部分動画についてはその前後で動きがある時点を探索する。動画抽出部１０２ｄは、動きがないと判断された部分動画については抽出箇所を変更する。具体的には動画抽出部１０２ｄは、動きがないと判断された部分動画に代えて、動き判断部１０２ｇにより探索された動きがある時点を含む所定時間の部分動画を元動画から抽出する。
【００５５】
ステップＳ６において、ダイジェスト動画再生部１０２ｅは、動画抽出部１０２ｄにより抽出された部分動画を時系列順に連続して再生することによりダイジェスト動画を再生し、図７の処理を終了する。
【００５６】
上述した第１の実施の形態によれば、次の作用効果が得られる。
（１）デジタルカメラ１において、静止画選択部１０２ｆは、動画の撮影中に撮影された複数の静止画の中からダイジェスト動画に用いる静止画を選択する際、自動撮影による静止画よりも手動撮影による静止画を優先して選択する。動画抽出部１０２ｄは、静止画選択部１０２ｆにより選択された静止画において、各々の撮影時点をそれぞれ含む所定時間の部分動画を元動画から抽出する。ダイジェスト動画再生部１０２ｅは、動画抽出部１０２ｄにより抽出された部分動画を順次再生することで、ダイジェスト動画を再生する。このような構成により、ユーザが撮影を意図したシーンが含まれる適切なダイジェスト動画を再生することができる。
【００５７】
（２）デジタルカメラ１において、静止画選択部１０２ｆは、動画の撮影中に撮影された複数の静止画を、撮影時点および撮影被写体に基づいてグループ化し、グループごとに１枚の静止画を選択する。このとき、静止画選択部１０２ｆは、同じグループ内に自動撮影による静止画と手動撮影による静止画の両方が含まれる場合は、自動撮影による静止画よりも手動撮影による静止画を優先して選択する。このような構成により、ダイジェスト動画において、撮影シーンが類似する部分動画が複数含まれることを防止できると共に、ユーザが撮影を意図したシーンを含めることができる。
【００５８】
（３）デジタルカメラ１において、静止画選択部１０２ｆは、上記グループごとにレーティングが最も高い静止画を選択し、この選択の際、同じグループ内に最も高いレーティングを有する静止画として自動撮影による静止画と手動撮影による静止画の両方が含まれる場合は、自動撮影による静止画よりも手動撮影による静止画を優先して選択する。このような構成により、ダイジェスト動画において、レーティング（すなわち評価）が高い静止画の撮影時点を含む部分動画を含めることができると共に、ユーザが撮影を意図したシーンを含めることができる。
【００５９】
（４）デジタルカメラ１において、動き判断部１０２ｇは、動画抽出部１０２ｄにより抽出された部分動画のそれぞれにおいて動きの有無を判断する。動画抽出部１０２ｄは、動き判断部１０２ｇにより動きがないと判断された部分動画については元動画から抽出する抽出箇所を変更する。具体的に、動き判断部１０２ｇは、動きがないと判断された部分動画に対応する静止画の撮影時点を起点として、動きがある時点を元動画内で探索する。動画抽出部１０２ｄは、動きがないと判断された部分動画に代えて、動き判断手段により探索された動きがある時点を含む部分動画を元動画から抽出する。このような構成により、ダイジェスト動画に、動きのない部分動画が含まれるのを防止し、動きのある部分動画を含めることができる。
【００６０】
−第２の実施の形態−
上述した実施の形態では、１つの動画ファイルを用いてダイジェスト動画を再生する例について説明したが、第２の実施の形態では、複数の動画ファイルを用いてダイジェスト動画を再生する例について説明する。第２の実施の形態の処理は、たとえば、数日の旅行において、複数の動画を撮影すると共にこれらの動画撮影中に静止画を撮影した場合に、これら複数の動画を用いて旅行のダイジェスト動画を再生する場合に用いることができる。なお、以下の説明では、第２の実施の形態において、第１の実施の形態と異なる点について説明し、第１の実施の形態と同様の点については説明を省略する。
【００６１】
第２の実施の形態の場合、複数の動画のそれぞれにおいて、その撮影中に複数の静止画が撮影され、記録されているとする。図８は、第２の実施の形態におけるダイジェスト動画再生処理の流れを示すフローチャートである。図８の処理は、ボディ制御部１０２でプログラムを実行して行われる。このプログラムは、不図示の不揮発性メモリに格納されており、ユーザの操作部１０８の操作によりダイジェスト動画の再生が指示されるとボディ制御部１０２により起動され、実行される。
【００６２】
ステップＳ１１において、静止画選択部１０２ｆは、複数の元動画の撮影中に撮影された複数の静止画を、撮影場所に基づいてグループ化する。ここでは、静止画選択部１０２ｆは、たとえば、静止画データに対応付けられた撮影場所情報に基づいて、撮影場所同士の距離が所定距離以内である静止画同士を同じグループに分類する。これにより、ほぼ同じ場所で撮影された静止画同士を同じグループに分類することができる。
【００６３】
ステップＳ１２において、静止画選択部１０２ｆは、ステップ１１で分類されたグループごとの静止画を、撮影時点に基づいてグループ化する。ここでは、静止画選択部１０２ｆは、たとえば、静止画データに対応付けられた撮影時点情報に基づいて、撮影時点の差分が所定時間内である静止画同士を同じグループに分類する。なお、ステップＳ１１とステップＳ１２の順番は入れ替わってもよい。また、撮影場所および撮影時点に基づくグループ化は、静止画の撮影時点の密集状況に応じて、グループ化を行う上記所定距離や上記所定時間を変化させるようにしてもよい。
【００６４】
ステップＳ１３において、静止画選択部１０２ｆは、ステップ１３で分類されたグループごとの静止画を、撮影被写体に基づいてグループ化する。ここでは、静止画選択部１０２ｆは、たとえば被写体認識処理を行い、同じ撮影被写体が認識された静止画同士を同じグループに分類する。
【００６５】
ステップＳ１４において、静止画選択部１０２ｆは、ステップ１３で分類されたグループごとに、静止画データに対応付けられたレーティング情報に基づいて、ベストの静止画を１枚選択する。このとき、静止画選択部１０２ｆは、１つのグループに、レーティングが最も高い静止画が複数含まれる場合には、静止画データに対応付けられた種別情報に基づいて、自動撮影による静止画よりも手動撮影による静止画を優先して選択する。
【００６６】
ステップＳ１５において、動画抽出部１０２ｄは、ステップＳ１４で静止画選択部１０２ｆにより選択された静止画において、各々の撮影時点をそれぞれ含む所定時間の部分動画を、それぞれの元動画から抽出する。
【００６７】
ステップＳ１６において、動き判断部１０２ｇは、ステップＳ１５で抽出された部分動画のそれぞれにおいて動きの有無を判断し、動きがない部分動画についてはその前後で動きがある時点を探索する。動画抽出部１０２ｄは、動きがないと判断された部分動画については抽出箇所を変更する。具体的には動画抽出部１０２ｄは、動きがないと判断された部分動画に代えて、動き判断部１０２ｇにより探索された動きがある時点を含む所定時間の部分動画を元動画から抽出する。
【００６８】
ステップＳ１７において、ダイジェスト動画再生部１０２ｅは、動画抽出部１０２ｄにより抽出された部分動画を連続して再生することによりダイジェスト動画を再生して、図８の処理を終了する。
【００６９】
以上の処理により、デジタルカメラ１は、ダイジェスト動画において、類似した撮影シーンの部分動画が複数含まれたり、動きのない部分動画が含まれたりするのを防止することができる。
【００７０】
なお、ダイジェスト動画再生部１０２ｅは、ダイジェスト動画をダイジェスト動画データとして生成する際、隣接する部分動画の間において、動画の素材（元動画）が変わる場所ごとにチャプターを入れるようにしてもよい。
【００７１】
次のような変形も本発明の範囲内であり、変形例の一つ、もしくは複数を上述の実施形態と組み合わせることも可能である。
−変形例１−
上述した実施の形態では、動画撮影中に撮影された複数の静止画をグループ化し、同じグループにレーティングが最も高い静止画が複数枚ある場合には、自動撮影された静止画よりも手動撮影された静止画を優先して選択する例について説明した。しかしながら、グループごとに静止画を選択する方法はこれに限らなくてもよい。たとえば、同じグループ内に自動撮影された静止画と手動撮影された静止画とが両方含まれる場合は、レーティングを問わずに、手動撮影された静止画を優先して選択するようにしてもよい。この場合に、同じグループ内に手動撮影された静止画が２枚以上ある場合には、レーティングの高い方を選択するようにしてもよい。
【００７２】
−変形例２−
上述した実施の形態では、動画撮影中に撮影された複数の静止画をグループ化し、グループごとに１枚の静止画を選択する例について説明したが、グループごとに複数枚の静止画を選択してもよい。また、動画撮影中に撮影された複数の静止画をグループ化せずに、ダイジェスト動画に用いる静止画を選択するようにしてもよい。たとえば、動画撮影中に撮影された複数の静止画において、手動撮影による静止画のみをダイジェスト動画に用いる静止画として選択するようにしてもよい。
【００７３】
−変形例３−
上述した実施の形態では、静止画選択部１０２ｆで選択した静止画の撮影時点を含む所定時間の部分動画を元動画から抽出する際、当該所定時間（すなわち部分動画の抽出時間）の長さを一定とする例について説明した。しかしながら、部分動画の抽出時間の長さを、静止画ごとに変えるようにしてもよい。
【００７４】
たとえば、動画抽出部１０２ｄは、静止画選択部１０２ｆで選択した静止画ごとに、その静止画のレーティングに基づいて、その静止画の撮影時点を含む部分動画の抽出時間の長さを決定するようにしてもよい。この場合、動画抽出部１０２ｄは、たとえば、レーティングが比較的高い場合は部分動画の抽出時間を比較的長めに決定し、レーティングが比較的低い場合は部分動画の抽出時間を比較的短めに決定する。これにより、ダイジェスト動画において、ユーザがより見たいと考えられるレーティングが高い静止画に対応する部分動画を長くすることができる。
【００７５】
また、たとえば、動画抽出部１０２ｄは、静止画選択部１０２ｆで選択した静止画ごとに、その静止画の撮影被写体の種類に基づいて、その静止画の撮影時点を含む部分動画の抽出時間の長さを決定するようにしてもよい。この場合、動画抽出部１０２ｄは、たとえば、撮影被写体が人物である場合は部分動画の抽出時間を比較的長めに決定し、撮影被写体が風景である場合は部分動画の抽出時間を比較的短めに決定する。これにより、ダイジェスト動画において、ユーザがより見たいと考えられる撮影被写体が人物である部分を長くすることができる。
【００７６】
また、たとえば、動画抽出部１０２ｄは、静止画選択部１０２ｆで選択した静止画ごとに、その静止画における撮影被写体の動きに基づいて、その静止画の撮影時点を含む部分動画の抽出時間の長さを決定するようにしてもよい。この場合、動画抽出部１０２ｄは、たとえば、撮影被写体の動きが大きい場合は部分動画の抽出時間を比較的長めに決定し、撮影被写体の動きが小さい場合は部分動画の抽出時間を比較的短めに決定する。これにより、ダイジェスト動画において、ユーザがより見たいと考えられる撮影被写体の動きが大きい部分を長くすることができる。
【００７７】
また、たとえば、動画抽出部１０２ｄは、静止画選択部１０２ｆで選択した静止画ごとに、その静止画と撮影時点が最も近い（すなわち時間的に隣接する）静止画との撮影時点の差分に基づいて、その静止画の撮影時点を含む部分動画の抽出時間の長さを決定するようにしてもよい。この場合、動画抽出部１０２ｄは、たとえば、隣接する静止画との撮影時点の差分が大きい場合（すなわち静止画の撮影時点が点在している）は部分動画の抽出時間を比較的長めに決定し、隣接する静止画との撮影時点の差分が小さい（すなわち静止画の撮影時点が密集している）場合は部分動画の抽出時間を比較的短めに決定する。これにより、極力時間的にバランスよく元動画から部分動画を抽出して、ダイジェスト動画を生成することができる。
【００７８】
また、たとえば、動画抽出部１０２ｄは、静止画選択部１０２ｆにより撮影時点および撮影被写体に基づいて分類されたグループにおいて、そのグループに含まれる静止画の枚数に応じて、そのグループから選択された静止画の撮影時点を含む部分動画の抽出時間の長さを決定するようにしてもよい。この場合、動画抽出部１０２ｄは、たとえば、グループに含まれる静止画の枚数が多い場合は部分動画の抽出時間を比較的長めに決定し、グループに含まれる静止画の枚数が少ない場合は部分動画の抽出時間を比較的短めに決定する。これにより、ダイジェスト動画において、ユーザがより見たいと考えられる多くの静止画が撮影された時間に対応する部分動画を長くすることができる。
【００７９】
なお、動画抽出部１０２ｄは、部分動画の抽出時間の長さを決定する際に、上述した複数の方法の中からいずれか１つを用いてもよいし、上述した複数の方法の一部または全部を組み合わせて用いてもよい。
【００８０】
−変形例４−
上述した実施の形態では、静止画選択部１０２ｆで選択した静止画の撮影時点を含む部分動画を元動画から抽出する際、撮影時点を中心とした所定時間の部分動画を抽出する例について説明した。しかしながら、部分動画の抽出範囲は撮影時点を中心とした範囲に限らなくてもよく、部分動画において撮影時点よりも前の部分が長くなるように抽出範囲を決定してもよいし、撮影時点よりも後の部分が長くなるように抽出範囲を決定してもよい。たとえば、動画抽出部１０２ｄは、静止画選択部１０２ｆで選択した静止画ごとに、その静止画よりも撮影時点が前で且つ撮影時点が最も近い静止画（前静止画）との撮影時点の差分と、その静止画よりも撮影時点が後で且つ撮影時点が最も近い静止画（後静止画）との撮影時点の差分とを算出する。そして、動画抽出部１０２ｄは、前静止画との撮影時点の差分と後静止画との撮影時点の差分とを比較し、前静止画との撮影時点の差分が大きい場合には、静止画の撮影時点よりも前の部分が長く含まれるように部分動画の抽出範囲を決定する。一方、動画抽出部１０２ｄは、後静止画との撮影時点の差分が大きい場合には、静止画の撮影時点よりも後の部分が長く含まれるように部分動画の抽出範囲を決定する。
【００８１】
−変形例５−
上述した第１の実施の形態では、動画撮影中に撮影された複数の静止画を、撮影時点および撮影被写体に基づいてグループ化する例について説明した。また、上述した第２の実施の形態では、動画撮影中に撮影された複数の静止画を、撮影場所、撮影時点および撮影被写体に基づいてグループ化する例について説明した。しかしながら、静止画のグループ化の方法はこれに限らなくてもよく、たとえば、撮影時点のみに基づいてグループ化するようにしてもよい。
【００８２】
−変形例６−
上述した実施の形態では、動画抽出部１０２ｄにより抽出された複数の部分動画を連続して再生する例について説明したが、再生方法はこれに限らなくてもよい。たとえば、各部分動画において、静止画の撮影時点前の部分を動画として再生し、その後、静止画を所定時間再生し、その後、静止画の撮影時点後の部分を動画として再生するようにしてもよい。このとき、静止画は高解像であるため、静止画中の撮影被写体を中心として拡大するなどの再生効果を入れるようにしてもよい。
【００８３】
−変形例７−
上述した実施の形態では、デジタルカメラ１が備えるボディ制御部１０２が上記ダイジェスト動画再生処理（図７、図８）を実行する例について説明した。しかしながら、上記ダイジェスト動画再生処理を実行するためのプログラムをパソコンなどその他の端末装置に記録して、当該端末装置上で処理を実行することも可能である。この場合、デジタルカメラで撮影した動画データを端末装置側に取り込んで、これを対象に上記ダイジェスト動画処理を行う。また、本発明はカメラ付き携帯電話などに適用することも可能である。
【００８４】
−変形例８−
上述した実施の形態では、たとえば、図６において、静止画Ｐ２１の撮影時点ｔ２１を含む部分動画Ｄ２１について動きがないと判断された場合には、所定以上の動きが検出される時点を探索し、探索された時点ｔ３０を含む部分動画を抽出する例について説明した。しかしながら、この場合、動きのある部分を探索するのではなく、たとえば静止画Ｐ２１と撮影時点が近い静止画Ｐ２２を選択し、静止画Ｐ２２を含む部分動画を抽出するようにしてもよい。こうすることにより、動きのある部分を探索する場合と比べて速い処理を行うことができる。
【００８５】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００８６】
１…デジタルカメラ、１０…カメラボディ部、２０…レンズ部、３０…記録媒体、１０２ａ…静止画撮影部、１０２ｂ…動画撮影部、１０２ｃ…画像管理部、１０２ｄ…動画抽出部、１０２ｅ…ダイジェスト動画再生部、１０２ｆ…静止画選択部、１０２ｇ…動き判断部、１０３…撮像部、１０５…画像処理部、１０５ａ…静止画処理部、１０５ｂ…動画処理部、１０６…内部メモリ、１０７…表示部、１０８…操作部、２０１…撮影光学系
【図１】
2015192336.tif 000003
【図２】
2015192336.tif 000004
【図３】
2015192336.tif 000005
【図４】
2015192336.tif 000006
【図５】
2015192336.tif 000007
【図６】
2015192336.tif 000008
【図７】
2015192336.tif 000009
【図８】
2015192336.tif 000010